(57)【要約】【課題】偏光板に貼り付けられた保護フィルムを確実にかつ容易に取り除くことができると共に、製造工程においては偏光板に傷などが付かないようにした液晶表示装置の製造方法を提供する。【解決手段】液晶表示装置における表示セル１４の表示面側にある偏光板２４に貼り付けられている保護フィルム３２について、額縁状に切り離し線３０を設け、フレーム１２を取り付ける前に外側フィルム３４を剥がし、フレーム１２を取り付けた後に内側フィルム３６を剥がすものである。【選択図】      図１
2007041042.tif 000002
【特許請求の範囲】
【請求項１】
平面表示装置の表示セルに積層される偏光板において、
前記偏光板の少なくともどちらか一方の面に保護フィルムが剥離可能に貼り付けられ、
前記保護フィルムの外周部に沿って額縁状に切り離し線が前記保護フィルムに設けられている
ことを特徴とする偏光板。
【請求項２】
前記切り離し線が、スリット状、または、連続状である
ことを特徴とする請求項１記載の偏光板。
【請求項３】
平面表示装置の表示セルにおいて、
前記表示セルの表示面側に偏光板が積層され、
前記偏光板の表示面側に保護フィルムが剥離可能に貼り付けられ、
前記保護フィルムの外周部に沿って額縁状に切り離し線が前記保護フィルムに設けられている
ことを特徴とする表示セル。
【請求項４】
前記表示セルの非表示面側にも偏光板が積層され、
前記非表示面側の偏光板にも前記切り離し線を有さない保護フィルムが剥離可能に貼り付けられている
ことを特徴とする請求項３記載の表示セル。
【請求項５】
前記切り離し線が、スリット状、または、連続状である
ことを特徴とする請求項３記載の表示セル。
【請求項６】
表示セルにおける表示領域外にフレームが取り付けられる平面表示装置の製造方法において、
偏光板の表示面側に保護フィルムが剥離可能に貼り付けられ、かつ、前記保護フィルムの外周部に沿って額縁状に切り離し線が前記保護フィルムに設けられている偏光板を、前記表示セルの表示面側に積層する第１工程と、
前記切り離し線より外側の前記保護フィルムを剥離する第２工程と、
前記表示セルに前記フレームを取り付ける第３工程と、
前記切り離し線より内側の前記保護フィルムを剥離する第４工程と
を有する
ことを特徴とする平面表示装置の製造方法。
【請求項７】
前記第１工程において、前記表示セルの非表示面側にも偏光板を積層し、
前記第２工程において、前記非表示面側の偏光板に剥離可能に貼り付けられた保護フィルムを剥離する
ことを特徴とする請求項６記載の平面表示装置の製造方法。
【請求項８】
前記切り離し線が、スリット状、または、連続状である
ことを特徴とする請求項６記載の平面表示装置の製造方法。
【発明の詳細な説明】
【技術分野】
【０００１】
本発明は、液晶表示装置などの平面表示装置に用いられる偏光板、その偏光板を積層した表示セル及びその表示セルを用いた平面表示装置の製造方法に関するものである。
【背景技術】
【０００２】
液晶表示装置における表示セルの対向基板側の表示面及びアレイ基板側の非表示面にはそれぞれ偏光板が積層されている。この偏光板は、入射光に対して特定の偏光成分のみを透過させる機能を有する板状の光学部材である。
【０００３】
製造工程時に、偏光板の主平面に傷などが付かないようにするために、保護フィルムが貼り付けられている（例えば、特許文献１参照）。
【０００４】
この偏光板に貼り付けられた保護フィルムは、製造後には不要となるため剥離されている。
【特許文献１】特開２００４−２５８３９３号公報
【発明の開示】
【発明が解決しようとする課題】
【０００５】
上記のような偏光板に貼り付けられた保護フィルムの剥離方法に関しては、次のような２通りの方法がある。
【０００６】
まず、第１の方法について説明する。
【０００７】
表示セルにはフレームを取り付ける必要がある。しかし、フレームを取り付けた後には保護フィルムを剥がすことができないため、その取り付ける前に保護フィルムを剥がしている。ところが、保護フィルムを剥がした後に偏光板に傷が付いたりする恐れがあるため、第１の方法としては、フレームを取り付けた後に再び偏光板に保護フィルムを貼り付けている。
【０００８】
しかし、フレームを取り付けた後に保護フィルムを貼り付けると、その貼り付けの作業が必要になると共に、保護フィルムの貼り付け方が悪いと、偏光板と保護フィルムの間に空気が入り気泡が発生するという問題点がある。
【０００９】
第２の方法としては、図６に示すように、表示セル１１４の偏光板１２８に貼り付けられた一枚の保護フィルム１３６の外周部のみを持ち上げて剥がし、その持ち上げた状態でフレーム１１２を取り付ける。そして、その持ち上げた部分の保護フィルム１３６を剥がす方法である。この方法であると、上記のように保護フィルムを再貼り付けする必要がなく、また、気泡ができたりする恐れがない。
【００１０】
しかし、この方法であると、残った保護フィルム１３６を偏光板１２８から剥離するときに、フレーム１１２の縁にあるエッジで保護フィルム１３６が切り取られ、偏光板１２８の外周部分に保護フィルム１３６が取り残されたりするという問題点がある。
【００１１】
そこで、本発明は上記問題点に鑑み、偏光板に貼り付けられた保護フィルムを確実にかつ容易に取り除くことができると共に、製造工程においては偏光板に傷などが付かないようにした偏光板、表示セル及び平面表示装置の製造方法を提供する。
【課題を解決するための手段】
【００１２】
請求項１に係る発明は、平面表示装置の表示セルに積層される偏光板において、前記偏光板の少なくともどちらか一方の面に保護フィルムが剥離可能に貼り付けられ、前記保護フィルムの外周部に沿って額縁状に切り離し線が前記保護フィルムに設けられていることを特徴とする偏光板である。
【００１３】
請求項３に係る発明は、平面表示装置の表示セルにおいて、前記表示セルの表示面側に偏光板が積層され、前記偏光板の表示面側に保護フィルムが剥離可能に貼り付けられ、前記保護フィルムの外周部に沿って額縁状に切り離し線が前記保護フィルムに設けられていることを特徴とする表示セルである。
【００１４】
請求項６に係る発明は、表示セルにおける表示領域外にフレームが取り付けられる平面表示装置の製造方法において、偏光板の表示面側に保護フィルムが剥離可能に貼り付けられ、かつ、前記保護フィルムの外周部に沿って額縁状に切り離し線が前記保護フィルムに設けられている偏光板を、前記表示セルの表示面側に積層する第１工程と、前記切り離し線より外側の前記保護フィルムを剥離する第２工程と、前記表示セルに前記フレームを取り付ける第３工程と、前記切り離し線より内側の前記保護フィルムを剥離する第４工程とを有することを特徴とする平面表示装置の製造方法である。
【発明の効果】
【００１５】
本発明であると、切り離し線より外側の保護フィルムを剥離してからフレームを取り付ける。その後、切り離し線より内側の保護フィルムを剥離する。これによって、フレーム部分に保護フィルムが残ることがなく、また、製造中にはフレーム内側の偏光板については保護フィルムが貼り付けられているため、傷が付いたりすることがない。
【発明を実施するための最良の形態】
【００１６】
以下、本発明の一実施形態の液晶表示装置１０について図１〜図５に基づいて説明する。
【００１７】
液晶表示装置１０は、図５に示すように金属製のフレーム１２内部に表示セル１４を収納したものである。図１に示すように、フレーム１２の上面は額縁状に形成され、表示セル１４の表示領域を露出させるための表示用開口部１６が設けられている。
【００１８】
（１）表示セル１４の構造
表示セル１４は、図２に示すように透過型の液晶表示セルであって、アレイ基板２０に所定の間隙を設けて対向基板２２が設けられている。そして、両基板２０，２２の間には、液晶層が設けられている。アレイ基板２０には、複数の信号線と、この信号線と直交するように配線された走査線とを有し、信号線と走査線との交点近傍には薄膜トランジスタ（以下、ＴＦＴという）が設けられている。そして、このＴＦＴの上層には、Ｒ，Ｇ，Ｂよりなるカラーフィルター層が設けられ、各ＴＦＴ毎に画素が形成されている。
【００１９】
対向基板２２の下面側には、透明な対向電極が設けられ、前記画素と対向基板との間に所定の電圧をかけることにより画像を表示することができる。
【００２０】
対向基板２２の上面、即ち、表示面側には入射光に対して特定の偏光成分のみを透過させる偏光板２４が積層されている。また、アレイ基板２０の下面、即ち、非表示面側にも偏光板２６が積層されている。
【００２１】
（２）液晶表示装置１０の製造方法
上記で説明した表示セル１４を有した液晶表示装置１０の製造方法について、第１工程乃至第５工程に分けて説明する。
【００２２】
第１工程においては、図２に示すように、上記で説明した表示セル１４を製造する。この場合に、偏光板２４の表示面側には、図１に示すように長方形の偏光板２４を保護するための保護フィルム２８が貼り付けられている。この保護フィルム２８には、図１に示すように、外周に沿って、連続状、または、スリット状の切り離し線３０が額縁状に設けられている。この切り離し線３０の幅は、５ｍｍ〜１ｃｍの間である。
【００２３】
また、アレイ基板２０の非表示面側に積層された偏光板２６の下面側にも保護フィルム３２が貼り付けられている。但しこの保護フィルム３２については、切り離し線３０が設けられていない。なお、この偏光板２４に貼り付けられた保護フィルム２８は、偏光板２８を製造しているメーカーから納入された段階から貼り付けられているものである。また、切り離し線３０も納入時点から同様に設けられている。
【００２４】
第２工程においては、図３に示すように、偏光板２４における保護フィルム２８について、切り離し線３０より外側の保護フィルム２８（以下、外側フィルム３４という）を剥離し、切り離し線３０より内側の保護フィルム２８（以下、内側フィルム３６という）のみを残す。また、偏光板２６の下面に貼り付けられている保護フィルム３２は全て剥離する。
【００２５】
第３工程においては、図４に示すように、アレイ基板２０の棚部３８にＴＡＢ（tape carrier bonding）を取り付け、信号線と信号線ドライバ回路とを接続する。また、表示セル１４の下面側に、バックライト４２を取り付け、ＴＡＢ４０を図４に示すように下方側に折り返し、ＴＡＢ４０の先端部に配線基板４４を取り付ける。この配線基板４４には、液晶表示装置１０を駆動させるためのタイミングコントローラなどのＩＣが設けられている。
【００２６】
第４工程においては、図４に示すように、組み立てた表示セル１４、バックライト４２、配線基板４４を金属製のフレーム１２内部に収納する。そして、フレーム１２を表示セル１４に対しネジ止めなどによって固定する。
【００２７】
第５工程においては、図５に示すように、対向基板２２に積層された偏光板２４に貼り付けられている内側フィルム３６を剥離する。
【００２８】
上記のように、表示セル１４をフレーム１２内部に組み込むまでは、内側フィルム３６により偏光板２４が覆われているため、傷が付いたりしない。
【００２９】
また、フレーム１２を取り付ける場合に、外側フィルム３４は剥離されているため、この外側部分が偏光板２４に残ったりすることがない。
【００３０】
また、従来のように偏光板２４を保護するために保護フィルムを貼り直したりする必要がなく製造工程が簡単となり、コストの削減にもなる。
【００３１】
なお、上記実施形態では液晶表示装置に用いられる偏光板について説明したが、他の平面表示装置に用いられる偏光板においても本発明を適用することができる。
【図面の簡単な説明】
【００３２】
【図１】本発明の一実施形態を示す表示セルの斜視図である。
【図２】表示セルの縦断面図である。
【図３】外側フィルム及びアレイ基板側の保護フィルムを剥離した状態の表示セルの縦断面図である。
【図４】表示セルにバックライト、フレーム等を取り付けた状態の縦断面図である。
【図５】内側フィルムを剥離した状態の液晶表示装置の縦断面図である。
【図６】従来の液晶表示装置の縦断面図である。
【符号の説明】
【００３３】
１０  液晶表示装置
１２  フレーム
１４  表示セル
２０  アレイ基板
２２  対向基板
２４  偏光板
２６  偏光板
２８  保護フィルム
３０  切り離し線
３２  保護フィルム
３４  外側フィルム
３６  内側フィルム
【図１】
2007041042.tif 000003
【図２】
2007041042.tif 000004
【図３】
2007041042.tif 000005
【図４】
2007041042.tif 000006
【図５】
2007041042.tif 000007
【図６】
2007041042.tif 000008